(57)【要約】【課題】　本発明は有効表示部の中央と上下の周辺部とで輝度差をより少なくしたプラズマディスプレーパネルを提供する。【解決手段】　本発明によるプラズマディスプレーパネルは、有効表示部に互いに平行に配置された電極と、有効表示部の広がりの幅より狭い幅の中に押し込まれて配置された駆動電力を受けるパッド部と、パッド部の個々のパッドと個々の電極とを連結する連結部とを有し、その個々のパッドの長さを連結部の角度が大きいほど短くなるようにしたことを特徴とする。【選択図】　　　　図６
2004006396.tif 000002
【特許請求の範囲】
【請求項１】
画面が表示される有効表示部と、前記有効表示部に形成された多数の電極に駆動波形を供給するための駆動波形の供給部と、前記駆動波形の供給部から供給される駆動波形を前記多数の電極に供給するための多数のパッドと、前記多数のパッドと前記多数の電極の間に形成されて前記多数のパッドと前記多数の電極を電気的に接続させるための多数の連結部とを有するプラズマディスプレーパネルにおいて、各々の前記パッドとここに対応する連結部の長さの合の差が最小になるように前記多数の連結部の長さが変えられることを特徴とするプラズマディスプレーパネル。
【請求項２】
前記パッドは前記有効表示部の中心部から前記有効表示部の周辺部に行くほどその長さが短くなり、前記連結部は前記周辺部から前記中心部に行くほどその長さが短くなることを特徴とする請求項１記載のプラズマディスプレーパネル。
【請求項３】
前記パッドは前記有効表示部の一側の周辺部から他側の周辺部に行くほどその長さが短くなり、前記連結部は前記有効表示部の前記一側の周辺部から前記他側の周辺部に行くほどその長さが長くなることを特徴とする請求項１記載のプラズマディスプレーパネル。
【請求項４】
前記連結部は単一配線であることを特徴とする請求項１記載のプラズマディスプレーパネル。
【請求項５】
多数の電極を有する有効表示部と、前記電極に駆動波形を供給するための駆動波形の供給部と、多数のパッド及び前記多数のパッドと前記有効表示部の間に形成された多数の連結部を有するパッド部とを具備するプラズマディスプレーパネルにおいて、
　前記パッドと前記連結部は、前記電極と前記連結部の連結角度と、前記パッドと前記連結部の連結角度が最小になるように形成され、前記パッドは相互異なる長さを持つことを特徴とするプラズマディスプレーパネル。
【請求項６】
前記連結部は単一配線であることを特徴とする請求項５記載のプラズマディスプレーパネル。
【請求項７】
前記パッド部から前記電極までの距離が遠いほど、前記パッドの長さは長くなることを特徴とする請求項６記載のプラズマディスプレーパネル。
【請求項８】
前記連結部の長さが長いほど、前記パッドの長さは長くなることを特徴とする請求項７記載のプラズマディスプレーパネル。
【請求項９】
前記パッド部は前記有効表示部の少なくとも１つの周辺部に形成されることを特徴とする請求項８記載のプラズマディスプレーパネル。
【請求項１０】
前記パッド部は前記有効表示部の少なくとも１つの中心部に形成されることを特徴とする請求項８記載のプラズマディスプレーパネル。
【請求項１１】
多数の電極が形成された有効表示部を用意する段階と、前記有効表示部に駆動波形を供給するための駆動波形の供給部を設置する段階と、前記有効表示部と前記駆動波形の供給部とを電気的に接続するためのパッド部を形成する段階とを含むプラズマディスプレーパネルの製造方法において、
　前記パッド部を形成する段階は、前記電極と電気的に連結される前記パッド部に、各々の前記パッドの長さとここに対応する連結部の長さの合の差が最小になるように前記パッドと前記連結部を形成して前記パッド部を形成することを特徴とするプラズマディスプレーパネルの製造方法。
【請求項１２】
前記連結部は単一配線であることを特徴とする請求項１１記載のプラズマディスプレーパネルの製造方法。
【請求項１３】
前記パッド部から前記電極までの距離が遠いほど、前記パッドの長さは長くなることを特徴とする請求項１２記載のプラズマディスプレーパネルの製造方法。
【請求項１４】
前記連結部の長さが長いほど、前記パッドの長さが短くなることを特徴とする請求項１３記載のプラズマディスプレーパネルの製造方法。
【請求項１５】
多数の電極が形成された有効表示部を用意する段階と、前記有効表示部に駆動波形を供給するための駆動波形の供給部を設置する段階と、前記有効表示部と前記駆動波形の供給部とを電気的に連結するためのパッド部を形成する段階とを含むプラズマディスプレーパネルの製造方法において、
　前記パッドを形成する段階は、前記電極と前記連結部の連結角度と、前記パッドと前記連結部の連結角度が最小になるように前記パッドと前記連結部を形成して前記パッド部を形成し、前記パッドは相互異なる長さを持つことを特徴とするプラズマディスプレーパネルの製造方法。
【請求項１６】
前記連結部は単一配線であることを特徴とする請求項１５記載のプラズマディスプレーパネルの製造方法。
【請求項１７】
前記パッド部から前記電極までの距離が遠いほど、前記パッドの長さは長くなることを特徴とする請求項１６記載のプラズマディスプレーパネルの製造方法。
【請求項１８】
前記連結部の長さが長いほど、前記パッドの長さが短くなることを特徴とする請求項１７記載のプラズマディスプレーパネルの製造方法。
【発明の詳細な説明】
【技術分野】
【０００１】
　本発明はプラズマディスプレーパネルに関し、特に輝度の差をより少なくすることができるようにしたプラズマディスプレーパネルに関する。
【背景技術】
【０００２】
　最近、平板ディスプレー装置として大型パネルの製作が容易なプラズマディスプレーパネル（ＰＤＰ）が注目を浴びている。最近のＰＤＰとしては図１に図示されたように３電極を具備して交流電圧によって駆動される３電極の交流面放電型のＰＤＰが代表的である。
【０００３】
　図１を参照すると、３電極の交流面放電型のＰＤＰの放電セルは上部基板（１０）に走査／維持電極（１２Ｙ）と共通維持電極（１２Ｚ）を平行に並んで形成され、下部基板（１８）にはこれらの電極と直交する方向にアドレス電極（２０Ｘ）を配置している。走査／維持電極（１２Ｙ）と共通維持電極（１２Ｚ）が並んで形成された上部基板（１０）には上部誘電層（１４）と保護膜（１６）が積層されている。上部誘電層（１４）にはプラズマ放電時に発生された壁電荷が蓄積される。保護膜（１６）はプラズマ放電時に発生されたスパタリングによる上部誘電層（１４）の損傷を防止するとともに二次電子の放出の効率を高める役を果たしている。保護膜（１６）としては通常酸化マグネシウム（ＭｇＯ）が利用される。アドレス電極（２０Ｘ）が形成された下部基板（１８）上には下部誘電層（２２）、隔壁（２４）が形成されて、下部誘電層（２２）と隔壁（２４）表面には蛍光体（２６）が塗布されている。アドレス電極（２０Ｘ）は走査／維持電極（１２Ｙ）及び共通維持電極（１２Ｚ）と交差する方向に形成されている。隔壁（２４）はアドレス電極（２０Ｘ）と並んで形成されて放電によって生成された紫外線及び可視光が隣接した放電セルにリークされるのを防止する。アドレス電極（２０Ｘ）は隔壁（２４）と隣の隔壁（２４）との間のほぼ中央に配置されている。蛍光体（２６）はプラズマ放電時に発生された紫外線によって励起されて赤色、緑色または青色の中のいずれかの一つの可視光線を発生させるように設けられている。上／下基板と隔壁の間に設けられた放電空間にはガス放電のための不活性ガスが注入される。
【０００４】
　このような放電セル（１）は図２に図示されたように縦横方向に所定の間隔で多数並んだマトリックス形態で配置されている。図２に示すように、放電セル（１）は走査／維持電極ライン（Ｙ１〜Ｙｍ）と共通維持電極ライン（Ｚ１〜Ｚｍ）に対して交差するアドレス電極ライン（Ｘ１〜Ｘｎ）のそれぞれの交差部に形成されている。走査／維持電極ライン（Ｙ１〜Ｙｍ）は順次に駆動され、共通維持電極ライン（Ｚ１〜Ｚｍ）は一緒に駆動される。アドレス電極ライン（Ｘ１〜Ｘｎ）は奇数番目ラインと偶数番目のラインとに分けて駆動される。
【０００５】
　このような３電極の交流面放電型のＰＤＰは、周知のようにピクセルごとに所定のグレイスケールを得るために多数のサブフィルドに分離されて駆動される。各サブフィルド期間にビデオデータの加重値に比例させた回数の発光を行わせてグレイスケール表示が行われる。通常、８ビットのビデオデータを利用して２５６グレイスケールで画像が表示される。その場合、各放電セル（１）の１フレームの表示期間（例えば、１／６０秒＝約１６.７ｍｓｅｃ）は８個のサブフィルド（ＳＦ１〜ＳＦ８）に分割される。それぞれのサブフィルド（ＳＦ１〜ＳＦ８）は、さらにリセット期間、アドレス期間及び維持期間に分かれており、維持期間に１：２：４：８：…：１２８の比率で加重値を付与する。リセット期間は放電セルを初期化する期間であり、アドレス期間はビデオデータの論理値によって選択的なアドレス放電を発生させる期間であり、維持期間はアドレス放電が発生した放電セルで放電を維持させる期間である。リセット期間とアドレス期間は各サブフィルド期間に同一に割り当てられる。
【０００６】
　このような、プラズマディスプレーパネルの走査／維持電極ライン（Ｙ）及び共通維持電極ライン（Ｚ）は図３のようなパッド部（３０）を通して駆動波形の供給を受ける。
【０００７】
　パッド部（３０）は、図３を参照すると、駆動波形の供給部（図示されない）から駆動波形を供給されるためのパッド（３１）と、パッド（３１）に供給された駆動波形を走査／維持電極ライン（Ｙ）または共通維持電極ライン（Ｚ）に供給するための連結部（３２）とを具備する。パッド（３１）は図４のように駆動波形の供給部のコネクタ（３４）に接続される。駆動波形供給部は走査／維持電極ライン（Ｙ）または共通維持電極ライン（Ｚ）に供給すべき駆動波形をコネクタ（３４）に供給する。コネクタ（３４）に供給された駆動波形がパッド（３１）及び連結部（３２）を経由して走査／維持電極ライン（Ｙ）または共通維持電極ライン（Ｚ）に供給される。この時、コネクタ（３４）の長さの方向、すなわち、それぞれのラインが平行に並んだその並びの方向の長さはプラズマディスプレーパネルのスリム化に応じて画面が表示される有効表示部の幅より狭く形成される。従って、コネクタ（３４）の長さに対応して形成されるパッド（３１）の並びの幅も狭く形成される。通常、ラインは有効表示部に対して均等に配置されるように一定の間隔で配置され、同様にそれぞれのライン用のパッドの間隔も均一に配置されるが、全体の幅はラインの方がパッドより幅広となる。そして、それぞれが有効表示部の中央を中心として対称に配置されるため図３に示すように、有効表示部の中央部分では連結部がラインとパッドに直線的につながるの対して周辺部に行くに従って連結部のそれぞれが傾斜し、その傾斜が有効表示部の周辺部に従って大きくなる。
【０００８】
　したがって、有効表示部の周辺に形成されている電極（Ｙ、Ｚ）とパッド（３１）の間に形成される連結部（３２）の長さは有効表示部の中心部に形成されている電極（Ｙ、Ｚ）とパッド（３１）の間に形成される連結部（３２）の長さより長くなる。すなわち、有効表示部の中心部に形成されている電極（Ｙ、Ｚ）に駆動波形を供給するためのパッド（３１）と連結部（３２）の長さの合（Ｌ１＋Ｌ２）と、有効表示部の周辺部に形成されている電極（Ｙ、Ｚ）に駆動波形を供給するためのパッド（３１）と連結部（３２）の長さの合（Ｌ３＋Ｌ４）が異なるようになる。このように、パッド部（３０）に形成されているパッド（３１）と連結部（３２）の長さがその位置で異なって形成されるとパッド部（３０）から供給される電圧が同一でも電極間の長さの差によって有効画面に印加される電圧が異なってくる。すなわち、Ｌ３とＬ４を経由して駆動波形を供給受ける電極（Ｙ、Ｚ）は、Ｌ１とＬ２を経由して供給を受ける電極（Ｙ、Ｚ）より低い電圧を供給受けることになる。もう一度言うと、有効表示部の周辺部に形成されている電極（Ｙ、Ｚ）は長い連結部（Ｌ３）を経由して駆動波形を供給受けるために電圧降下が中央の連結部（Ｌ１）の電圧降下より多く発生する。これにつれて、有効表示部の周辺部と中心部の輝度差が発生する。
【０００９】
　また、従来のパッド部（３０）は有効表示部の周辺部に形成された電極（Ｙ、Ｚ）への連結部（３２）は、傾斜角度が大きいので、連結される箇所の角度が大きくなり、パッド部（３０）の形成の工程中に断線が発生することもあった。同様に、パッド部（３０）の周辺部に形成された連結部（３２）とパッド（３１）が連結される箇所の角度も大きくなり、製作及び形成の工程の中で断線が発生して製品の不良となり、その結果、生産性が低下するという問題点もある。
【００１０】
　一方、パッド部（３０）はコネクタの位置又は回路配置などの理由から有効表示部の中央に対称に配置されるのではなく、図５のように有効表示の一方の周辺部に寄せて配置されることもあった。図５を参照すると、パッド部（３８）は有効表示部の第１周辺部（４０）に寄せて配置されている。パッド（３６）はコネクタ（４４）に接続されて、コネクタ（４４）から供給される駆動波形を連結部（３４）を経由して有効表示部内に形成されている電極（Ｙ、Ｚ）に供給する。このようにパッド部（３８）が有効表示部の第１周辺部部（４０）に形成されると、第１周辺部（４０）に形成されている電極（Ｙ、Ｚ）に駆動波形を供給するパッド（３６）と連結部（３４）の長さの合計（Ｌ７＋Ｌ８）と、第２周辺部（４２）に形成されている電極（Ｙ、Ｚ）に駆動波形を供給するパッド（３６）と連結部（３４）の長さの合計（Ｌ５＋Ｌ６）の差が図４の場合よりより大きくなる。従って、パッド部（３８）から第１周辺部（４０）に形成された電極（Ｙ、Ｚ）に供給される実質的な電圧と第２周辺部（４２）に形成された電極（Ｙ、Ｚ）に供給される実質的な電圧がより大きく異なるようになる。すなわち、電圧降下によってＬ５及びＬ６を経由して駆動波形を供給受ける電極（Ｙ、Ｚ）は、Ｌ７及びＬ８を経由して駆動波形を供給受ける電極（Ｙ、Ｚ）より低い電圧の供給を受ける。これによって、有効表示部の第１周辺部（４０）と第２周辺部（４２）で輝度差が発生する。また、第２周辺部（４２）からパッド（３８）に連結される連結部（３２）の角度が大きく形成されてパッド部（３８）の製作及び設置工程の中で断線が発生されて製品の不良をもたらしたり生産性が低下される問題点がある。一方、このような問題はアドレス電極ライン（Ｘ）に駆動波形を供給するための図示していないパッド部でも同様に発生するのは理解できるであろう。
【発明の開示】
【発明が解決しようとする課題】
【００１１】
　従って、本発明の目的は有効表示部に供給される電圧降下の差をより少なくすることによって輝度差を減少させることができるようにしたプラズマディスプレーパネルを提供することにある。
　本発明の異なる目的は各電極と連結部の角度及び連結部とパッドの角度を緩やかに形成することで製作及び設置工程で発生される断線をより少なくすることができるようにしたプラズマディスプレーパネルを提供することにある。
【課題を解決するための手段】
【００１２】
　前記目的を達成するために、本発明によるプラズマディスプレーパネルは有効表示部に形成された電極に駆動波形を供給するための駆動波形の供給部と、駆動波形の供給部から供給される駆動波形を電極に供給して、パッドと電極の間の連結部の傾斜角度が大きい箇所ではより短く、逆に傾斜角度が小さい箇所ではより長く形成されたパッドと、パッドと電極との間に形成されてパッドと電極を電気的に接続させるための連結部とを具備する。
【００１３】
　本発明によるプラズマディスプレーパネルによると、パッド部から電極に供給される駆動波形の電圧降下をより少なくすることができるようにパッドの長さを異なるように形成する。従って、電極で供給される駆動波形の電圧降下により発生する有効表示部の輝度差をより少なくすることができる。また、パッドの長さを異なるように形成することでパッドと有効表示部の電極と接続される連結部の角度をより少なくすることができる。これにつれて、パッド部の電極形成の工程で発生される断線を防ぐことができる。
【発明の効果】
【００１４】
　上述したところのように、本発明によるプラズマディスプレーパネルによるとパッド部から電極に供給される駆動波形の電圧降下の差をより少なくすることができるようにパッドの長さを変えて形成した。従って、電極で供給される駆動波形の電圧降下によって発生する有効表示部における輝度差をより少なくすることができる。
　また、パッドの長さを異なるように形成することでパッドと有効表示部の電極と接続される連結部の傾斜角度をより少なくすることができる。これにつれて、パッド部の電極形成の工程で発生される断線を防ぐことができる。
　以上説明した内容を通して当業者であれば本発明の技術思想を一脱しない範囲で多様な変更及び修正が可能であることが分かる。従って、本発明の技術的な範囲は明細書の詳細な説明に記載された内容に限らず特許請求の範囲によって定めなければならない。
【発明を実施するための最良の形態】
【００１５】
　以下、本発明の実施形態を添付した図６〜図９を参照してして詳細に説明する。
　図６及び図７は本発明の実施形態によるプラズマディスプレーパネルのパッド部を表す図面である。
　図６及び図７を参照すると、本発明の実施形態によるパッド部（４６）は長さが異なるように形成されるパッド（５０）と、画面が表示される有効表示部とパッド（５０）の間に形成される連結部（４８）とを具備する。パッド（５０）は図示されない駆動波形の供給部から駆動波形を供給受けるために図８のようにコネクタ（５２）に接続される。駆動波形の供給部（図示せず）が走査／維持電極ライン（Ｙ）または共通維持電極ライン（Ｚ）に供給される駆動波形をコネクタ（５２）に供給する。コネクタ（５２）に供給された駆動波形はパッド（５０）及び連結部（４８）を経由して走査／維持電極ライン（Ｙ）または共通維持電極ライン（Ｚ）に供給される。パッド（５０）はコネクタ（５２）から電極（Ｙ、Ｚ）に供給される駆動波形の電流差、すなわち電圧降下をより少なくすることができるように中心部の長さが長く形成されて、中心部から周辺に行くほどその長さが短くなる。すなわち、連結部の傾斜角度が大きいほどパッド（５０）の長さが短くなっている。これとは反対に連結部（４８）は中心部の長さが短く形成されて、中心部から周辺部に行くほどその長さが長くなる。図６，７の実施形態では、パッド（５０）の中心部の長さを従来のものとほぼ等しくし、周辺部に向かうにつれ順次短くなるようにしている。
【００１６】
　上記のように、従来のものと比べて周辺部の電極用のパッドが短くなっている。したがって、連結部とパッドとの角度、すなわち連結部の傾斜角が本実施形態の場合従来のものより小さくなり、連結部の長さを相対的に短くすることができる。したがって、有効表示部の中心部に形成されている電極（Ｙ、Ｚ）に駆動波形を供給するためのパッド（５０）及び連結部（４８）の長さの合計（Ｌ１＋Ｌ２）と、有効表示部の周辺部に形成されている電極（Ｙ、Ｚ）に駆動波形を供給するためのパッド（５０）及び連結部（４８）の長さの合計（Ｌ３＋Ｌ４）の差がより小さくされる。すなわち、Ｌ４の長さが短くなったことによって、Ｌ３は従来のＬ３より長くなっているが、その長さが長くなった分は、傾斜角度の小さくなることによって、Ｌ４を減少させた分より少ないため、合計では従来のものより短くなる。したがって、プラズマディスプレーパネルの周辺部と中心部の輝度差をより少なくすることができる。また、上記のように、パッド部（４６）の周辺部に形成されているパッド（５０）の長さが短くなることで有効表示部の周辺部に形成された電極（Ｙ、Ｚ）と連結部（４８）が連結される部分の角度及びパッド部（４６）の周辺部に形成された連結部（４８）とパッド（５０）が連結される部分の角度が小さく形成されることで電極形成の工程の中で発生される断線をより少なくすることができる。図６はパッド（５０）の長さを中央部から周辺部に向かうにつれ直線的に短くしているが、図７の例では円弧状に順次短くなるようにしている。
【００１７】
　図９は本発明の異なる実施形態によるプラズマディスプレーパネルのパッド部を表す図面である。図９はパッド部（５６）が有効表示部の第１周辺部（６２）に片寄せて設置したときの例である。
　図９を参照すると、本発明の異なる実施形態によるパッド部（５６）のパッド（６０）は、コネクタ（６６）から電極（Ｙ、Ｚ）に供給される駆動波形の電流差、すなわち、電圧降下をより少なくすることができるようにその長さを変えている。具体的には、第１周辺部（６２）に形成された電極（Ｙ、Ｚ）に駆動波形を供給するパッド（６０）の長さが長く形成されて、第１周辺部（６２）から第２周辺部（６４）に行くほどその長さが順次短くなる。これとは反対に連結部（５８）は第１周辺部（６２）から第２周辺部（６４）に行くほどその長さが長くなる。したがって、同様に、傾斜角度の減少による連結部の長さが長くなるが、その長くなった分はパッドの長さを短くした分小さいのでので、合計した長さが従来のものより短くなる。すなわち、有効表示部の第１周辺部（６２）に形成されている電極（Ｙ、Ｚ）に駆動波形を供給するためのパッド（６０）及び連結部（５８）の長さの合（Ｌ７＋Ｌ８）と、有効表示部の第２周辺部（６４）に形成されている電極（Ｙ、Ｚ）に駆動波形を供給するためのパッド（６０）及び連結部（５８）の長さの合（Ｌ５＋Ｌ６）の差がより少なくなる。すなわち、プラズマディスプレーパネルの第１周辺部（６２）と第２周辺部（６４）の輝度差をより少なくすることができる。また、第２周辺部（６４）に駆動波形を供給するためのパッド（６０）の長さが短くなることでパッド（６０）と連結部（５８）が連結される部分及び有効表示部の第２周辺部（６４）に形成された電極（Ｙ、Ｚ）と連結部（５８）が連結される部分の角度がより小さく形成されることで電極形成の工程の中で発生される断線をより少なくすることができる。一方、本発明の第１〜第３実施形態をアドレス電極ライン（Ｘ）に駆動波形を供給するためにパッド部にも同一に適用されることができる。
【図面の簡単な説明】
【００１８】
【図１】従来の３電極の交流面放電のプラズマディスプレーパネルの放電セルの構造を表す写視図である。
【図２】図１に図示された放電セルなどを含むプラズマディスプレーパネルの全体的な電極の配置図である。
【図３】プラズマディスプレーパネルが中心部に対応されるように設置されて、図２に図示された電極に駆動波形を供給するためのパッド部を表す図面である。
【図４】図３に図示されたパッド部が駆動波形を供給するコネクタに接触された模様を表す図面である。
【図５】プラズマディスプレーパネルの一側の周辺部に対応されるように設置されて図２に図示された電極に駆動波形を供給するためのパッド部を表す図面である。
【図６】本発明の実施形態によるパッド部を表す図面である。
【図７】本発明の実施形態によるパッド部を表す図面である。
【図８】図６に図示されたパッド部が駆動波形を供給するコネクタに接触された模様を表す図面である。
【図９】本発明の異なる実施形態によるパッド部を表す図面である。
【符合の説明】
【００１９】
　１…放電セル、１０…上部基板、１２Ｙ…走査／維持電極、１２Ｚ…共通維持電極、１４…上部誘電層、１６…保護膜、１８…下部基板、２０Ｘ…アドレス電極、２２…誘電層、２４…隔壁、２６…蛍光体、３０，３８，４６，５６…パッド部、３１，３６，５０，６０…パッド、３２，３４，４８，５８…連結部、３４，４４，５２，６６…コネクタ、４０，６２…第１周辺部、４２，６４…第２周辺部。
【図１】
2004006396.tif 000003
【図２】
2004006396.tif 000004
【図３】
2004006396.tif 000005
【図４】
2004006396.tif 000006
【図５】
2004006396.tif 000007
【図６】
2004006396.tif 000008
【図７】
2004006396.tif 000009
【図８】
2004006396.tif 000010
【図９】
2004006396.tif 000011